(57)【特許請求の範囲】
【請求項１】
収葉袋を周方向に複数配置した回転収葉枠体を備えた回転収葉装置において、
上記回転収葉枠体の下部に該回転収葉枠体を上下に振動させる振動機構を具備したことを特徴とする回転収葉装置。
【請求項２】
前記振動機構は、回転収葉枠体の回転軸下端に固定された円盤と、
該円盤に当接するシリンダと、
該シリンダを上下動させるバルブで構成したことを特徴とする請求項１に記載の回転収葉装置。
【請求項３】
前記振動機構は、回転収葉枠体の回転軸下端に固定された下部表面に凹凸を有する円盤カムと、
該円盤カムと係合する装置固定側に固定されたカム接片で構成したことを特徴とする請求項１に記載の回転収葉装置。
【請求項４】
前記振動機構は、回転収葉枠体の回転軸下端に固定されたカム接片と、
該カム接片と係合する装置固定側に固定された表面に凹凸を有する円盤カムで構成したことを特徴とする請求項１に記載の回転収葉装置。
【発明の詳細な説明】
【０００１】
【産業上の利用分野】
本発明は、茶葉を収葉する回転収葉装置に関する。より詳しくは、乗用型茶摘採機に設置して茶摘した茶葉を回転しながら収葉する回転収葉装置に関する。
【０００２】
【従来の技術】
乗用型茶摘採機は、オペレータの操縦によって茶摘する機械であるが、茶摘採機には、摘採した茶葉を収葉する回転収葉装置が設置されている。
【０００３】
刈刃部で摘採した茶葉は、送給管を通して分離部に送給し分離部で空気と茶葉とに振り分けて送給管排出口から放出される。この送給管排出口から放出された茶葉を回転収葉装置に収葉する。
【０００４】
【発明が解決しようとする課題】
しかしながら、従来の回転収葉装置にあっては、回転収葉枠体に配置した複数の収葉袋内に茶葉をそのまま生葉の質量に任せて収めている。従って、収葉袋内に茶葉が「ふんわり」と収められた格好でまだ充分に余裕がある状態になっている。そのために、補助作業者が同乗するなどして嵩張って収められた茶葉を手で押し込むのが実状である。
【０００５】
本発明は、上記従来技術の欠点に鑑みなされたものであって、回転する回転収葉枠体を同時に上下に振動させて（揺さ振って）茶葉を収葉袋内に充足させる回転収葉装置の提供を目的とする。
【０００６】
【課題を解決するための手段】
前記目的を達成するための請求項１の発明は、収葉袋を周方向に複数配置した回転収葉枠体を備えた回転収葉装置において、上記回転収葉枠体の下部に該回転収葉枠体を上下に振動させる振動機構を具備したことを特徴とする。
【０００７】
請求項２の発明は、前記振動機構は、回転収葉枠体の回転軸下端に固定された円盤と、該円盤に当接するシリンダと、該シリンダを上下動させるバルブで構成したことを特徴とする。
【０００８】
請求項３の発明は、前記振動機構は、回転収葉枠体の回転軸下端に固定された下部表面に凹凸を有する円盤カムと、該円盤カムと係合する装置固定側に固定されたカム接片で構成したことを特徴とする。
【０００９】
請求項４の発明は、前記振動機構は、回転収葉枠体の回転軸下端に固定されたカム接片と、該カム接片と係合する装置固定側に固定された表面に凹凸を有する円盤カムとで構成したことを特徴とする。
【００１０】
請求項１の発明によれば、収葉袋を周方向に複数配置した回転収葉枠体を備えた回転収葉装置において、上記回転収葉枠体の下部に該回転収葉枠体を上下に振動させる振動機構を具備したため、回転する回転収葉枠体の各収葉袋に投入された茶葉は、同時に振動機構によって上下に振動され（揺さ振られ）、各収葉袋に充分に充足される。
【００１１】
請求項２の発明によれば、前記振動機構は、回転収葉枠体の回転軸下端に固定された円盤と、該円盤に当接するシリンダと、該シリンダを上下動させるバルブで構成したため、バルブの切換によるシリンダの上下駆動により円盤が上下動し、回転収葉枠体が上下に振動する。
【００１２】
また、請求項３の発明によれば、前記振動機構は、回転収葉枠体の回転軸下端に固定された下部表面に凹凸を有する円盤カムと、該円盤カムと係合する装置固定側に固定されたカム接片で構成したため、回転収葉枠体が回転すると、回転収葉枠体に固定された円盤カムが回転し、円盤カムに係合する装置固定側に固定されたカム接片によって円盤カムが上下動し、回転収葉枠体が上下に振動する。
【００１３】
請求項４の発明によれば、前記振動機構は、回転収葉枠体の回転軸下端に固定されたカム接片と、該カム接片と係合する装置固定側に固定された表面に凹凸を有する円盤カムで構成したため、回転収葉枠体が回転すると、回転収葉枠体に固定されたカム接片が回転し、カム接片に係合する装置固定側に固定された円盤カムによってカム接片が上下動し、回転収葉枠体が上下に振動する。
【００１４】
【実施例】
図１は、本発明に係る回転収葉装置を乗用型茶摘採機に設置した一実施例を示す。
【００１５】
乗用型茶摘採機は、摘採機本体１の下部にカタピラの如き無端の進行車２が設けられ、摘採機本体１の上部側には摘採した茶葉を送給する茶葉送給装置Ａと、茶葉送給装置Ａから送給されてきた茶葉を収葉する本発明の回転収葉装置Ｂが備えられている。
【００１６】
前記茶葉送給装置Ａは、茶葉を摘採する刈刃部３と、摘採した茶葉を送給する送給管４と、空気と茶葉を分離する分離部５と、茶葉を回転収葉装置Ｂへ放出する送給管排出口６からなる。その送給管排出口６は、図２に示すように回転する回転収葉装置Ｂの上方の位置に開口している。
【００１７】
回転収葉装置Ｂは、装置固定側７に垂直軸８が設けられ、垂直軸８に回転収葉枠体１０が回転可能に設けられている（図３参照）。
【００１８】
回転収葉枠体１０は、回転軸９と、回転軸９の上下に設けられた枠金支持円板１１，下部円板１２と、外周にある輪枠金１３ａと、輪枠金１３ａと下部円板１２と間に設けられた縦枠金１３ｂと、枠金支持円板１１と輪枠金１３ａとの間に放射状に設けられた各収葉区画に区分する仕切枠金１３ｃと、枠金支持円板１１と下部円板１２の外周との間に斜め方向に設けられた補強枠金１３ｄと、輪枠金１３ａと下部円板１２と間に設けられた補強輪枠金１３ｅからなる。
【００１９】
回転収葉枠体１０の各収葉区画内には、布，強靱紙又は合成樹脂等の適当な材料で形成された収葉袋１４が装着されている。
【００２０】
また、回転収葉枠体１０は、図３に示すようにその回転軸９の下部にプーリ１５が固定され、図示しないが、プーリ１５にベルトを介してモータ等が接続されて回転可能になっている。
【００２１】
この回転収葉枠体１０には、上下に振動させる振動機構Ｃが具備されている。振動機構Ｃは、回転軸９下端に固定された円盤１６と、円盤１６に当接する油圧シリンダ１７と、油圧シリンダ１７を上下させるバルブ１８と、バルブ１８と油圧シリンダ１７とを接続する油圧回路１９からなり、バルブ１８の切換により油圧シリンダ１７が上下し油圧シリンダ１７のロッドに当接する前記円盤１６が上下動して回転する回転収葉枠体１０が同時に上下に振動する。振動機構Ｃの駆動源は、油圧シリンダ１７の他にエアシリンダを用いることができる。
【００２２】
次に、本発明の回転収葉装置の作用について説明する。
【００２３】
茶畑の畝に沿って乗用型茶摘採機を走行させて送給管４の先端の刈刃部３で茶葉を摘採すると、茶摘された茶葉は分離部５内に設けられたモータファン等の駆動によって吸引されて送給管４内を搬送され、分離部５内で茶葉と空気が分離されて送給管排出口６から放出される。
【００２４】
送給管排出口６から放出された茶葉は、回転収葉装置Ｂの回転する回転収葉枠体１０に周方向、即ち放射状に配置された各収葉袋１４内に平均に投入され収葉される。
【００２５】
その際に、回転収葉装置Ｂの回転収葉枠体１０は、その下部に備えられた油圧シリンダ１７，バルブ１８および油圧回路１９からなる振動機構Ｃにより上下に振動されて回転と同時に上下に揺さ振られ、各収葉袋１４内に茶葉が充分に充たされる。従って、茶葉を押し込む煩わしさはなくなり、補助作業者を必要としない。
【００２６】
図４は、本発明に係る回転収葉装置Ｂの他の実施例である。
【００２７】
この回転収葉装置Ｂは、回転収葉枠体１０の回転軸９下端に下部表面に凹凸２０ａを有する円盤カム２０が固定され、装置固定側７に円盤カム２０に係合するカム接片２１が設けられた振動機構Ｃが具備されている。カム接片２１は、装置固定側７に設けられた台座２２に固定され、このカム接片２１により係合する円盤カム２０が回転軸９の回転に伴って上下動し、回転する回転収葉枠体１０が同時に上下に振動して回転収葉枠体１０に装着された各収葉袋１４内に茶葉が前記実施例と同様に充分に充たされる。
【００２８】
図５は、本発明に係る回転収葉装置Ｂの更に他の実施例である。
【００２９】
この回転収葉装置Ｂは、回転収葉枠体１０の回転軸９下端にカム接片２３が円盤２５を介して固定され、装置固定側７にカム接片２３に係合する表面に凹凸２４ａを有する固定の円盤カム２４が設けられた振動機構Ｃが具備されている。即ち、円盤カム２４とカム接片２３が、丁度前記他の実施例と逆の位置になっている。
【００３０】
回転軸９が回転すると、回転軸９下端に円盤２５を介して固定されたカム接片２３が回転し、カム接片２３と係合する装置固定側７の円盤カム２４によってカム接片２３が上下動し、回転する回転収葉枠体１０が同時に上下に振動して回転収葉枠体１０に装着された各収葉袋１４内に茶葉が前記実施例と同様に充分に充たされる。
【００３１】
【発明の効果】
以上説明したように本発明によれば、回転収葉装置に振動機構を備えることにより、収葉時、回転する回転収葉枠体を同時に上下に振動させるため、回転収葉枠体に装着された収葉袋内に茶葉を充分に充足することができる。従って、嵩張る茶葉を押し込む煩わしさがなくなり、補助作業者が必要なくなる。また、茶葉を収葉袋内に押し込む作業の解消によって安全性も確保される。
【図面の簡単な説明】
【図１】本発明に係る回転収葉装置の一実施例の側面概要図である。
【図２】回転収葉装置の回転収葉枠体の上面拡大図である。
【図３】図１の要部拡大断面図である。
【図４】本発明に係る回転収葉装置の他の実施例の要部拡大断面図である。
【図５】本発明に係る回転収葉装置の更に他の実施例の要部拡大断面図である。
【符号の説明】
７：装置固定側、９：回転軸、１０：回転収葉枠体、１４：収葉袋、１６：円盤、１７：油圧シリンダ、１８：バルブ、２０：円盤カム、２０ａ：凹凸、２１：カム接片、２３：カム接片、２４：円盤カム、２４ａ：凹凸、Ｂ：回転収葉装置、Ｃ：振動機構。
【図１】
0003563864.tif 000002
【図２】
0003563864.tif 000003
【図３】
0003563864.tif 000004
【図４】
0003563864.tif 000005
【図５】
0003563864.tif 000006